(57)【要約】【課題】撮像素子によって撮像した画像データを記録するための記録媒体を複数、装填可能なデジタルカメラにおいて、記録画像の再生にあたって、ユーザにとって使い勝ってのよいデジタルカメラを提供する。【解決手段】記録媒体Ａ２４５と記録媒体Ｂ２４６と複数の記録媒体が装填可能で、撮影した画像を複数の記録媒体に振り分けて記録可能であり（ステップ＃５５、＃６１〜＃６９）、複数の記録媒体の各ファイル管理情報に基づいて複数の画像データの表示順位を決定し（ステップ＃９３）、その順位にしたがって画像の再生表示（ステップ＃７５参照）を行う。【選択図】  図６
2007251591.tif 000002
【特許請求の範囲】
【請求項１】
複数の記録媒体を装填可能であり、撮影した画像を上記複数の記録媒体に振り分けて記録可能なデジタルカメラにおいて、上記複数の記録媒体の各ファイル管理情報に基づいて複数の画像データの表示順位を決定し、その順位にしたがって画像の再生表示を行うようにしたことを特徴とするデジタルカメラ。
【請求項２】
上記表示順位は、撮影時の時刻情報に基づいて決定されることを特徴とする請求項１に記載のデジタルカメラ。
【請求項３】
複数の記録媒体を装填可能であり、撮影した画像を上記複数の記録媒体に振り分けて記録可能なデジタルカメラにおいて、
上記複数の記録媒体の各ファイル管理情報を読み出す管理情報読出手段と、
上記各ファイル管理情報に基づいて、上記記録媒体に記録されている画像データの順位付けをする順位付け手段と、
手動操作部材が操作されるたびに、上記順位付けされた画像データを上記複数の記録媒体のいずれかから順番に読み出す画像データ読出手段と、
この画像データ読出手段で読み出された画像データを表示する表示手段と、
を具備したことを特徴とするデジタルカメラ。
【請求項４】
上記順位付け手段は、上記画像データの撮影日時情報に基づいて順位付けを行うことを特徴とする請求項３に記載のデジタルカメラ。
【請求項５】
複数の記録媒体を装填可能なデジタルカメラにおいて、撮影した画像データを記録する際には、所定条件にしたがって上記複数の記録媒体に振り分けて記録し、上記複数の記録媒体に記録された画像データを表示する際には、上記複数の記録媒体から撮影順に読み出して表示するようにしたことを特徴とするデジタルカメラ。
【請求項６】
さらに、上記複数の記録媒体に記録された画像データを表示する際に、上記複数の記録媒体の内のどちらか一方を選択するか、上記複数の記録媒体の両方を選択するかを切替できることを特徴とする請求項５に記載のデジタルカメラ。
【請求項７】
さらに、上記画像データを表示する際、その画像が記録されている記録媒体を識別する記号、文字を重畳させて表示することを特徴とする請求項５に記載のデジタルカメラ。
【発明の詳細な説明】
【技術分野】
【０００１】
本発明は、撮像素子によって撮像した画像データを記録するための記録媒体を複数、装填可能なデジタルカメラに関する。
【背景技術】
【０００２】
デジタルカメラにおいては、撮影した画像を着脱自在な記録媒体（メモリカード、記憶媒体、記録メディア等、種々の呼称がある）に保存するのが一般的である。そして、近年、市販のデジタルカメラの一部には、記録媒体を複数枚同時に装填できるものもある。そして、複数の記録媒体を併用することで、デジタルカメラの機能アップを図る提案もなされている。
【０００３】
例えば、連続撮影を行う際には、画像情報を複数の記録媒体に分割して転送しパラレル記録することにより、記録速度の向上を図る電子カメラが提案されている（特許文献１）。また、動画の撮影時、一方の記録媒体に空き容量がなくなった場合には、別の記録媒体に継続して記録するようにしたデジタルカメラが提案されている（特許文献２）。さらに、連続撮影時に、複数の記録媒体に撮影画像を振り分けて記録することでデータ転送時間の短縮を図るようにしたデジタルカメラが提案されている（特許文献３）。
【０００４】
【特許文献１】特開平７−１３５５８９
【特許文献２】特開２００５−８０００８
【特許文献３】特開２００５−１７５５７４
【発明の開示】
【発明が解決しようとする課題】
【０００５】
このように、撮影画像を複数の記録媒体に振り分けて記録可能とすることにより、性能的にもまた機能的にも優れたデジタルカメラを実現できる。しかし、その一方で、撮影画像が複数の記録媒体に散在してしまうので、例えば撮影画像を後日順番に再生表示させる場合などには、記録媒体を頻繁に切り換える必要があり、煩わしいものとなる。
【０００６】
本発明はこのような事情に鑑みてなされたものであって、複数の記録媒体を装填可能なデジタルカメラにおいて、ユーザにとって使い勝ってのよいデジタルカメラを提供することを目的とする。
【課題を解決するための手段】
【０００７】
上記目的を達成するために第１の発明に係わるデジタルカメラは、複数の記録媒体を装填可能であり、撮影した画像を上記複数の記録媒体に振り分けて記録可能なデジタルカメラにおいて、上記複数の記録媒体の各ファイル管理情報に基づいて複数の画像データの表示順位を決定し、その順位にしたがって画像の再生表示を行うようにしたことを特徴とする。
また、第２の発明に係わるデジタルカメラは、上記第１の発明において、上記表示順位は、撮影時の時刻情報に基づいて決定されることを特徴とする。
【０００８】
上記目的を達成するために第３の発明に係わるデジタルカメラは、複数の記録媒体を装填可能であり、撮影した画像を上記複数の記録媒体に振り分けて記録可能なデジタルカメラにおいて、上記複数の記録媒体の各ファイル管理情報を読み出す管理情報読出手段と、上記各ファイル管理情報に基づいて、上記記録媒体に記録されている画像データの順位付けをする順位付け手段と、手動操作部材が操作されるたびに、上記順位付けされた画像データを上記複数の記録媒体のいずれかから順番に読み出す画像データ読出手段と、この画像データ読出手段で読み出された画像データを表示する表示手段を具備したことを特徴とする。
【０００９】
また、第４の発明に係わるデジタルカメラは、上記第３の発明において、上記順位付け手段は、上記画像データの撮影日時情報に基づいて順位付けを行うことを特徴とする。
【００１０】
また上記目的を達成するために、第５の発明に係わるデジタルカメラは、複数の記録媒体を装填可能なデジタルカメラにおいて、撮影した画像データを記録する際には、所定条件にしたがって上記複数の記録媒体に振り分けて記録し、上記複数の記録媒体に記録された画像データを表示する際には、上記複数の記録媒体から撮影順に読み出して表示するようにしたことを特徴とする。
また、第６の発明に係わるデジタルカメラは、上記第５の発明において、上記複数の記録媒体に記録された画像データを表示する際に、上記複数の記録媒体の内のどちらか一方を選択するか、上記複数の記録媒体の両方を選択するかを切替できることを特徴とする。
また、第７の発明に係わるデジタルカメラは、上記第５の発明において、上記画像データを表示する際、その画像が記録されている記録媒体を識別する記号、文字を重畳させて表示することを特徴とする。
【発明の効果】
【００１１】
本発明によれば、複数の記録媒体の各ファイル管理情報に基づいて複数の画像データの表示順位を決定し、その順位にしたがって画像の再生表示を行うようにしたので、ユーザにとって使い勝ってのよいデジタルカメラを提供することができる。
【発明を実施するための最良の形態】
【００１２】
以下、図面に従って本発明を適用したデジタル一眼レフカメラを用いて好ましい実施形態について説明する。図１は、本発明の実施形態に係るデジタル一眼レフカメラの全体構成を示すブロック図であり、交換レンズ１００とカメラ本体２００とから構成される。本実施形態では、交換レンズ１００とカメラ本体２００は別体で構成され、通信接点３００にて電気的に接続されているが、交換レンズ１００とカメラ本体２００を一体に構成することも可能である。
【００１３】
交換レンズ１００の内部には、焦点調節および焦点距離調節用のレンズ１０１、１０２と、開口量を調節するための絞り１０３が配置されている。レンズ１０１およびレンズ１０２はレンズ駆動機構１０７によって駆動され、絞り１０３は絞り駆動機構１０９によって駆動されるよう接続されている。レンズ駆動機構１０７、絞り駆動機構１０９はそれぞれレンズＣＰＵ１１１に接続されており、このレンズＣＰＵ１１１は通信接点３００を介してカメラ本体２００に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。
【００１４】
カメラ本体２００内には、被写体像を観察光学系に反射するためにレンズ光軸に対して４５度傾いた位置と、被写体像を撮像素子(後述のＣＣＤ２２１)に導くために跳ね上がった位置との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。このペンタプリズム２０７の出射側(図１で右側)には被写体像観察用の接眼レンズ２０９が配置され、この脇であって被写体像の観察に邪魔にならない位置に測光センサ２１１が配置されている。この測光センサ２１１は被写体像を分割して測光する多分割測光素子で構成されている。
【００１５】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには、ハーフミラー部を覆う位置に回動し、可動ミラー２０１が被写体像観察位置にあるときには、図示する如く可動ミラー２０１に対して垂直となる位置にある。この可動ミラー２０１はミラー駆動機構２１９によって駆動されている。また、サブミラー２０３の下方には測距用センサを含む測距回路２１７が配置されており、この回路は、レンズ１０１、１０２によって結像される被写体像の焦点ズレ量を測定するための回路である。
【００１６】
可動ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には撮像素子としてのＣＣＤ（Charge Coupled Devices）２２１が配置されており、レンズ１０１、１０２によって結像される被写体像を電気信号に光電変換する。なお、本実施形態では撮像素子としてＣＣＤを用いているが、これに限らずＣＭＯＳ（Complementary Metal Oxide Semiconductor）等の二次元撮像素子を使用できることはいうまでもない。ＣＣＤ２２１はＣＣＤ駆動回路２２３に接続され、このＣＣＤ駆動回路２２３によってアナログデジタル変換（ＡＤ変換）がなされる。ＣＣＤ駆動回路２２３はＣＣＤインターフェース２２５を介して画像処理回路２２７に接続されている。この画像処理回路２２７は色補正、ガンマ(γ)補正、コントラスト補正といった各種の画像処理を行う。
【００１７】
画像処理回路２２７は、ＡＳＩＣ（Application Specific Integrated Circuit 特定用途向け集積回路）２７１内のデータバス２６１に接続されている。このデータバス２６１には、画像処理回路２２７の他、後述するシーケンスコントローラ(以下、「ボディＣＰＵ」と称す)２２９、圧縮回路２３１、フラッシュメモリ制御回路２３３、ＳＤＲＡＭ制御回路２３６、入出力回路２３９、通信回路２４１、記録媒体制御回路２４３、ビデオ信号出力回路２４７、スイッチ検出回路２５３が接続されている。
【００１８】
データバス２６１に接続されているボディＣＰＵ２２９は、このデジタル一眼レフカメラのフローを制御するものである。またデータバス２６１に接続されている圧縮回路２３１はＳＤＲＡＭ２３７に記憶された画像データをＪＰＥＧやＴＩＦＦで圧縮するための回路である。なお、画像圧縮はＪＰＥＧやＴＩＦＦに限らず、他の圧縮方法も適用できる。データバス２６１に接続されているフラッシュメモリ制御回路２３３は、フラッシュメモリ（Flash Memory）２３５に接続され、このフラッシュメモリ２３５は、一眼レフカメラのフローを制御するためのプログラムが記憶されており、ボディＣＰＵ２２９はこのフラッシュメモリ２３５に記憶されたプログラムに従ってデジタル一眼レフカメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像データまたは圧縮回路２３１によって圧縮された画像データを一時的に記憶するためのバッファメモリである。
【００１９】
上述の測光センサ２１１、シャッタ駆動機構２１５、測距回路２１７およびミラー駆動機構２１９に接続される入出力回路２３９は、データバス２６１を介してボディＣＰＵ２２９等の各回路とデータの入出力を制御する。レンズＣＰＵ１１１と通信接点３００を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体Ａ２４５と記録媒体Ｂ２４６に接続され、この記録媒体Ａ２４５および記録媒体Ｂ２４６への画像データ等の記録の制御を行う。記録媒体Ａ２４５および記録媒体Ｂ２４６は、ｘDピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。なお、記録媒体Ａ２４５および記録媒体Ｂ２４６は同種の媒体でも、異種の媒体の組み合わせでも良いが、例えば、記録媒体Ａ２４５として大容量のコンパクトフラッシュとし、記録媒体Ｂ２４６として小型で使い易いｘＤピクチャーカードにするといった組み合わせが考えられる。
【００２０】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７、記録媒体Ａ２４５または記録媒体Ｂ２４６に記憶された画像データを、液晶モニタ２６に表示するためのビデオ信号に変換するための回路である。液晶モニタ２６はカメラ本体２００の背面に配置されるが（後述する図2参照）、撮影者が観察できる位置であれば、背面に限らないし、また液晶に限らず他の表示装置でも構わない。シャッタレリーズ釦の第1ストロークや第２ストロークを検出するスイッチ、再生モードを指示するスイッチ、記録媒体を選択するスイッチ、ＩＳＯ設定モードを指示するスイッチ、ホワイトバランス設定を指示するスイッチ、液晶モニタ２６の画面でカーソルの動きを指示するするスイッチ、撮影モードを指示するスイッチ、選択された各モード等を決定するＯＫスイッチ、画質を指示するスイッチ等の各種スイッチ３５５は、スイッチ検出回路２５３を介してデータバス２６１に接続されている。
【００２１】
次に、本発明の適用されたデジタル一眼レフカメラについて図２に示す背面からみた外観斜視図を用いて説明する。
カメラ本体２００の上面にはレリーズ釦２１、モードダイヤル２２、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピントあわせ、被写体輝度の測光等の撮影準備動作を行い、第２レリーズスイッチ（以下、２Ｒと称する）のオンによりＣＣＤ２２１の出力に基づいて被写体像の画像データの取り込みを行う撮影動作を実行する。
【００２２】
モードダイヤル２２は回転可能に構成された操作部材であり、モードダイヤル２２上に設けられた撮影モードを表す絵表示または記号に指標に合致させることにより、フルオート撮影モード（ＡＵＴＯ）、プログラム撮影モード（Ｐ）、絞り優先撮影モード（Ａ）、シャッタ撮影優先モード（Ｓ）、マニュアル撮影モード（Ｍ）、ポートレート撮影モード、風景撮影モード、マクロ撮影モード、スポーツ撮影モード、夜景撮影モードの各撮影モードを選択することができる。
【００２３】
カメラ本体２００の背面には、液晶モニタ２６、再生釦２７、メニュー釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、記録媒体Ａ選択釦３３、記録媒体選択釦３４が配置されている。液晶モニタ２６は、撮影済みの被写体像を再生表示し、また、撮影条件やメニューを表示するための表示装置である。これらの表示を行うことができるものであれば、液晶に限らない。再生釦２７は、撮影後に記録した被写体画像を液晶モニタ２６に表示させることを指示するための操作釦である。前述のＳＤＲＡＭ２３７、記録媒体Ａ２４５や記録媒体Ｂ２４６にＪＰＥＧ等の圧縮モードで記憶されている被写体の画像データを伸張して表示する。
【００２４】
十字釦３０は液晶モニタ２６上で、Ｘ方向とＹ方向の２次元方向にカーソルの移動を指示するための操作部材であり、また、後述するように、記録媒体に記録された被写体像を表示するにあたって、記録媒体の指示にも使用する。なお、アップ、ダウン、左、右用の４つの釦を設ける以外にも、タッチスイッチのように２次元上で操作方向を検出できるスイッチ等の２次元方向に操作できるスイッチに置き換えることも可能である。ＯＫ釦３１は、十字釦３０やコントロールダイヤル２４等によって選択された各種項目を確定するための操作部材である。メニュー釦２８は、このデジタルカメラの各種モードを設定するためのメニューモードに切換えるための釦であり、このメニュー釦２８の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。
【００２５】
カメラ本体２００の側面には、記録媒体収納蓋４０が開閉自在に取り付けられている。この記録媒体収納蓋４０を開放すると、この内部に記録媒体Ａ２４５用の装填スロットと、記録媒体Ｂ２４６用の装填スロットが設けられている。これらの記録媒体Ａ２４５と記録媒体Ｂ２４６はカメラ本体２００に対して、脱着自在に装填可能となっている。
【００２６】
次に、図３を用いて、カメラ本体２００の表示および動作モードの概略について説明する。
情報表示Ｍ１００はカメラ本体２００の電源スイッチがオンとなったときの状態であり、この状態でメニュー釦２８を操作しオンとすると、液晶モニタ２６にメニュー設定表示がなされ、この状態で十字釦３０Ｕ、３０Ｄ、３０Ｌ、３０Ｒを操作して各種項目を選択し、ＯＫ釦３１を操作し決定することにより、メニュー設定動作は終了し、情報表示Ｍ１００に戻る。メニュー設定表示により、前述の画質モードの選択の他に、フラッシュモード、フラッシュ補正モード、タイマ撮影、連写・単写切換、オートフォーカス方式（シングルＡＦとコンティニュアスＡＦ）等の各モードの設定を行うことができる。また、記録媒体の選択、撮影モードの選択、ＩＳＯ感度またはホワイトバランス調整といった撮影条件の設定動作Ｍ１２０は、モードダイヤル２２、記録媒体Ａ選択釦３３、記録媒体Ｂ選択釦３４、ホワイトバランス釦（不図示）、ＩＳＯ釦（不図示）を操作することによって、この設定動作Ｍ１２０に入る。この設定動作Ｍ１２０に入ると、コントロールダイヤル２４を操作することによって各撮影条件を選択することができ、ＯＫ釦３１をオンとすることによって各種の撮影条件を決定し、情報表示Ｍ１００に戻る。なお、記録媒体の選択等の一部の撮影条件は、コントロールダイヤル２４やＯＫ釦３１を操作せずとも、選択釦３３、３４を操作することにより直接、条件の設定ができる。
【００２７】
情報表示Ｍ１００の状態において、レリーズ釦２１を半押しすることによって、１Ｒスイッチがオンとなり、撮影動作Ｍ１３０に入り、レリーズ釦２１から手を離し、半押しが解除されることによって情報表示Ｍ１００に戻る。この撮影動作Ｍ１３０では、撮影準備動作を行い、それに続いて、レリーズ釦２１を全押しすることによって、ＣＣＤ２２１から被写体像の光電変換信号を取り込み、画像処理回路２２７によって画像処理の上、画像データを記録媒体Ａ２４５または記録媒体Ｂ２４６に記録動作を行う。また、情報表示Ｍ１００において、再生釦２７を操作しオンとすることによって再生動作Ｍ１４０を実行する。再生動作Ｍ１４０は、記録媒体Ａ２４５または記録媒体Ｂ２４６に記録されている画像データに基づいて、液晶モニタ２６に記録画像の表示を行うものであって、十字釦３０の操作により撮影駒の指示を行うことができる。
【００２８】
次に、前述の撮影動作Ｍ１３０について、図４に示すフローチャートを用いて、その詳細を説明する。
レリーズ釦２１の半押しがなされると撮影動作に入り、測光センサ２１１の出力に基づいて被写体輝度の測定を行う（＃２１）。ここで得た被写体輝度に基づいてシャッタ速度及び／又は絞り値を演算により求める（＃２３）。なお、ここで、求めるシャッタ速度及び／または絞り値は、前述の撮影モードにしたがって行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う。
【００２９】
撮影レンズ１０１、１０２のピント合わせが終了したら、次に、レリーズ釦２１の全押しによってオンとなる第２レリーズスイッチがオンか否かかの判定を行い（＃２７）、オンではない場合には、レリーズ釦２１の半押しによってオンとなる第１レリーズスイッチがオンか否かかの判定を行う（＃２９）。判定の結果、オンであった場合には、レリーズ釦は半押し状態ではあるが、全押し状態とはなっていないので、ステップ＃２７と＃２９を繰り返し行う待機状態となる。ステップ＃２９にてレリーズ釦２１から手が離れ、第１レリーズスイッチがオフとなった場合には、ＮＯで抜けて、元のルーチンに戻る。
【００３０】
一方、レリーズ釦２１が全押しされると、ステップ＃２７にて第２レリーズスイッチがオンとなり、＃３１以下のステップで、実際に撮像を行い画像データの記録を行うための処理を実行する。まず、可動ミラー２０１のアップ動作を行い（＃３１）、これによって、撮影レンズ１０１、１０２を透過した被写体光はＣＣＤ２２１上に被写体像として結像する。続いて、絞り１０３の絞込み動作を開始し（＃３３）、ＣＣＤ２２１による撮像を開始する。同時にシャッタ２１３の先幕の走行を開始し、所定時間経過後に後幕の走行を開始させる（＃３７）。この後、ＣＣＤ２２１による撮像を停止し（＃３９）、ＣＣＤ駆動回路２２３は画像信号の読み出しを行い、画像処理回路２２７による画像処理を実行する（＃４１）。この画像処理された画像データはバッファメモリとしてのＳＤＲＡＭ２３７に格納される（＃４３）。続いて、絞り１０３を開放状態に復帰させ（＃４５）、可動ミラー２０１をダウンさせ（＃４７）、ファインダ光学装置を被写体像観察状態にする。
【００３１】
この後、撮影モードが連写モードになっているか否かを判定し（＃４９）、連写モードと判定された場合には、レリーズ釦が全押し状態のままか否かを判定する（＃５１）。全押しのまま、即ち、第２レリーズスイッチがオンであった場合には、ステップ＃３１に戻り、撮影を繰り返す。また、レリーズ釦から手が離れ、第２レリーズスイッチがオフとなると連写は終了する（＃５１でＮＯ）。ステップ＃４９にて連写モードでなかった場合と、連写モードを終了した場合には、ステップ＃５３に進み、ＳＤＲＡＭ２３７等のバッファメモリに記憶していた画像データを記録媒体（メモリカード）Ａ２４５または記録媒体Ｂ２４６に記録する（＃５３）。このメモリカードに記録するためのサブルーチンの詳細については後述する。続いて、レリーズ釦が半押し状態のままか、即ち、第１レリーズスイッチがオンであるか否かを判定し、オンの場合には、そのまま待機状態でオフとなるのを待ち、オフとなったら、パワーオンリセットルーチンに戻る（＃５５）。
【００３２】
次に、ステップ＃５３のサブルーチン「メモリカードに記録」のフローについて、図５を用いて説明する。
このサブルーチンに入ると、まず撮影条件設定動作Ｍ１２０において記録媒体Ａが選択されているか否かの判定を行う（＃６１）。判定の結果、記録媒体Ａが選択されていた場合には、Ｙｅｓで抜けて、ステップ＃６３に進み、ファイル管理情報の設定を行う。この画像データの記録にあたっては、記録媒体ごとに、図８（Ａ）に示すように、各画像データはセクタ１〜セクタｎの画像格納領域に記録され、各画像データとリンクしてファイル情報がファイル情報管理領域に記録される。つまり、セクタ１に画像データを記録する際に、この画像データの管理情報がファイル情報１として記録される。図８（Ａ）に示すファイル管理情報と画像格納領域は記録媒体ごとに作成される。そして、このファイル管理情報の内容は、図８（Ｂ）に示すように、記録媒体Ａと記録媒体Ｂで分けて記録されており、それぞれファイル名、撮影した日時情報、各記録媒体での記録領域を示す使用セクタ、記録媒体を識別するための識別記号からなっている。ステップ＃６３において、今回撮像した被写体の画像データに関するファイル管理情報を設定し、ステップ＃６５に進み、記録媒体Ａ２４５に画像データとファイル管理情報の記録を行う。
【００３３】
ステップ＃６１に戻り、撮影条件設定Ｍ１２０で記録媒体Ｂが選択されていた場合には、判定の結果、Ｎｏとなり、ステップ＃６３に進む。記録媒体Ａの場合と同様に、図８（Ｂ）に示されるファイル管理情報を設定し、ステップ＃６９にて、画像データとファイル管理情報を記録媒体Ｂ２４６に記録して、図４に示す撮影動作のルーチンに戻る。なお、本実施形態では、記録媒体Ａ選択釦３３および記録媒体Ｂ選択釦３４のいずれが操作されたかによって、画像データを記録する記録媒体を選択していたが、これに限らず例えば、撮影にあたって画質（画素数等）、撮影条件（オートかマニュアル撮影か）また画像のデータ量等の所定の条件によって記録媒体を選択するようにしても良い。
【００３４】
次に、前述の再生動作Ｍ１４０について、図６に示すフローチャートを用いて、その詳細を説明する。
再生釦２７の操作がなされると再生動作に入り、現在選択されている記録媒体のファイル管理情報の読み出しを行う（＃７１）。すなわち記録媒体Ａ選択釦３３または記録媒体選択釦３４の操作によって記録媒体の選択が行われているので、この選択された記録媒体に基づいて、図８（Ｂ）に示されているファイル管理情報を読み出す。続いて、読み出されたファイル管理情報に基づいて最新画像を読み出す（＃７３）。例えば、記録媒体Ａが選択され、ファイル名「０００１１１」が最新の画像であるとすると、この画像が記録されている記録媒体Ａのセクタ「００５」の画像データの読み出しを行う。読み出しが終わると、ステップ＃７５に進み、読み出された最新画像データに基づいて、液晶モニタ２６に最新画像の表示を行う。
【００３５】
次に、ステップ＃７７に進み、アップ用十字釦３０Ｕがオンか否かの判定を行い、オンの場合、即ち、操作された際には、ステップ＃９７に進み、今読み出されている画像データから５フレーム後の画像の読み出しを行った後、ステップ＃７５に戻りその画像の表示を行う。一方、アップ用十字釦３０Ｕが操作されていなかった場合には、ステップ＃６９に進み、ダウン用十字釦３０Ｄがオンか否かの判定を行い、オンであった場合、即ち、操作された場合には、ステップ＃９９に進み、今読み出されている画像データから５フレーム前の画像の読み出しを行った後、ステップ＃７５に戻り画像の表示を行う。これは、再生モードにおいては、アップ用十字釦３０Ｕは現在表示されている画像より５フレーム後の画像を表示するための釦として、またダウン用十字釦３０Ｄは現在表示されている画像より５フレーム前の画像を表示するための釦として割り当てられていることから、アップ用またはダウン用十字釦３０Ｕ、３０Ｄが操作されたかどうかを判定し、表示画像を５フレーム分、スキップするか否かの選択を行っている。
【００３６】
続いて、ステップ＃８１において、右用十字釦３０Ｒが操作されたか否かの判定を行い、操作された場合には、１フレーム、後の画像データの読み出しを行う（＃１０１）。ステップ＃８１においてＮｏだった場合には、ステップ＃８３に進み、左用十字釦３０Ｌが操作されたか否かの判定を行い、操作された場合には、１フレーム、前の画像データの読み出しを行う（＃１０３）。ステップ＃１０１または＃１０３において、所定の画像の読み出しを行った後は、ステップ＃７５に戻り、読み出した画像の表示を行う。
【００３７】
十字釦３０Ｕ、３０Ｄ、３０Ｒ、３０Ｌのいずれも操作されていなかった場合には、ステップ＃８５に進み、記録媒体Ａ２４５の選択を行うための記録媒体Ａ選択釦３３が操作されたか否かの判定を行う。判定の結果、記録媒体Ａが選択されていた場合には、ステップ＃１０５に進み、既に選択済みであったか否かについて判定する。つまり、記録媒体Ｂが選択されていて、新たに記録媒体Ａが選択されたのか、それとも記録媒体Ａが選択されたままで変更がないのかを、ステップ＃８５と＃１０５にて判定する。判定の結果、記録媒体Ａが選択済みであった場合には、選択されていている記録媒体に変更がないので、ステップ＃８７に進む。一方、記録媒体Ａが選択済みでなかった場合、すなわち記録媒体Ｂから記録媒体Ａに選択記録媒体に変更があった場合には、ステップ＃１０７に進み、記録媒体Ａ２４５からファイル管理情報の読み出しを行う。ファイル管理情報の読み出しが終わると、ステップ＃７３に戻り、最新画像を読み出し、画像の表示を行う（＃７５）。
【００３８】
ステップ＃８５に戻り、記録媒体Ａ選択釦３３がオンとなっていなかった場合には、Ｎｏで抜けて、ステップ＃８７に進み、記録媒体Ｂ選択釦３４がオンとなっているか否かの判定を行う。オンであった場合には、続いてステップ＃１０９にて、記録媒体Ｂが既に選択済みであったか否かについて判定する。つまり、記録媒体Ａが選択されていて、新たに記録媒体Ｂが選択されたのか、それとも記録媒体Ｂが選択されたままで変更がないのかを、ステップ＃８７と＃１０９にて判定する。判定の結果、記録媒体Ｂが選択済みであった場合には、選択されていている記録媒体に変更がないので、ステップ＃８９に進む。一方、記録媒体Ｂが選択済みでなかった場合、すなわち記録媒体Ｂから記録媒体Ａに選択記録媒体に変更があった場合には、ステップ＃１１１に進み、記録媒体Ｂ２４６からファイル管理情報の読み出しを行う。ファイル管理情報の読み出しが終わると、ステップ＃７３に戻り、最新画像を読み出し、画像の表示を行う（＃７５）。
【００３９】
ステップ＃８７に戻り、記録媒体Ｂ選択釦３４がオンでなかった場合には、ステップ＃８９に進み、記録媒体Ａ選択釦３３と記録媒体選択釦３４が両方同時にオンとなっているか否かについて判定する。判定の結果、両方ともオンとなっていなかった場合には、Ｎｏで抜けてステップ＃７７に戻り、前述のステップを繰り返す。一方、判定の結果、両選択釦がオンとなっていた場合には、ステップ＃９１に進み、記録媒体Ａ２４５および記録媒体Ｂ２４６からファイル管理情報を読み出し、ステップ＃９３にて管理情報の並び替えを行う。並び替えは、図８（Ｂ）に示される記録媒体Ａの管理情報と記録媒体Ｂの管理情報中の日時情報を用い、撮影日時順に並び替えを行う。日時情報を基にこれを並び替えることにより、図８（Ｃ）に示すような管理情報テーブルを得ることができる。
【００４０】
並び替えた管理情報のテーブルは、識別記号、使用セクタと、ファイル名と、フレーム番号とから構成されている。図から分かるように、このテーブルは撮影の日時情報順に並び替えられており、それぞれの画像が記録されている記録媒体（識別記号）、その記録媒体における記録場所（使用セクタ）、記録にあたってのファイル名が記録されており、さらに、ソーティングした中での順番（フレーム番号）も記録されている。画像データの再生時には、このフレーム番号順に表示される。なお、本実施形態においては、並び替えは撮影日時順に行ったがこれに限らず、種々の変形が可能である。例えば、データ容量の多少の順、撮影場所データを合わせ持つ場合には撮影場所順、絞り・シャッタ速度・焦点距離等の撮影条件順等、並び替えは記録されているデータを基に行うことができる。また、記録媒体はＡとＢの２つであったが、これに限らず、３以上の複数の記録媒体であってもよい。
【００４１】
このように並び替えられた画像の個々の表示は、図７に示すように、液晶モニタ２６の画面枠３００の中に被写体像３０１と共に、左上に記録媒体識別表示３０２、フレーム番号表示３０３、左下に日時情報３０４と合わせて行われる。記録媒体識別表示３０２は、現在表示されている被写体像が記録されている記録媒体を表示するものであって、図７の例では、記録媒体Ａ２４５に記録されていることを示している。また、フレーム番号表示３０３は、現在装填されている記録媒体の画像データの中でのフレーム番号を示しており、図７の例では、１番目のフレームを示している。日時情報３０４は、撮影日時を示しており、図７の例の「０６０２１８０８２３」は、これは２００６年２月１８日８時２３分（２４時間制）を意味している。なお、記録媒体識別の表示にあたっては、他の文字、記号、絵記号等の識別表示であればよく、本実施形態のようにＡ、Ｂの表示に限らない。また、日時情報の表示も種々の表示方法があり、年月日と一緒に表示したり、日月年の順等の順番を並び替えても良い。また、表示位置も種々の位置に変更できる。
【００４２】
次に、ステップ＃８９において、記録媒体Ａ選択釦３３と記録媒体Ｂ選択釦３４の両選択釦がオンであった場合、すなわち、両記録媒体に記録された画像データを並び替えて表示する場合の再生順序について説明する。並び替えの結果、フレーム１は、記録媒体Ｂのセクタ００１に記録されている画像であり、最新の画像である記録媒体Ｂのセクタ００８に記録されている画像がフレーム１３となる。図８（Ｃ）の例では、記録媒体Ａに記録された画像は、フレーム３、４、５、１０、１２であり、また記録媒体Ｂに記録された画像は、フレーム１、２、６、７、８、９、１１、１３となっている。したがって、記録媒体Ａ選択釦３３と、記録媒体Ｂ選択釦３４の両方がオンの場合には、その中で最も新しい画像であるフレーム１３が一番最初の表示となる。このようにフレーム番号が付与されるので、再生にあたっては、このフレーム番号を基準に順番に表示される。（図９参照）
【００４３】
最新の画像であるフレーム１３が表示されている状態で、ステップ＃８１において右側十字釦３０Ｒが操作されると、次のフレームに相当する記録媒体Ｂに記録されたフレーム１が読み出され（＃１０１）、液晶モニタ２６に図７に示されるような態様で表示され、順次、右側十字釦３０Ｒが操作されるたびに、記録媒体Ｂに記録されたフレーム２、記録媒体Ａに記録されたフレーム３、フレーム４、フレーム５、記録媒体Ｂに記録されたフレーム６・・・がそれぞれ読み出され、表示される。また、左側十字釦３０Ｌが操作されると（＃８３）、記録媒体Ａに記録されたフレーム１２、記録媒体Ｂに記録されたフレーム１１、・・・の順に液晶モニタ２６の表示が移っていく。
【００４４】
一方、アップ十字釦３０Ｕが操作されるか（＃７７）、ダウン十字釦３０Ｄが操作されると（＃７９）、管理情報テーブルを参照して５フレーム前または後のフレームを読み出し表示を行う。なお、これらのフレーム表示は上記順番に沿って表示されるものであるが、常に１フレーム目や最終フレームから表示がスタートするのではなく、最新の読み出しデータからスタートする。なお、図９では左上に記録媒体の識別記号を表示し、右下にフレーム番号を表示しているが、図７のように両者を左上に並べても良い。
【００４５】
このように本実施形態では、複数の記録媒体が装填されている場合に、記録された画像を撮影日時順に並び替えて表示するようにしたので、わざわざ記録媒体の切換（選択）を行わなくても、順番に複数の記録媒体に記録された画像を見ることができる。また、画像の表示にあたって、いずれの記録媒体に画像が記録されているかを表示するようにしたので、直ぐに分かるというメリットがある。
【００４６】
また、本実施形態は、記録媒体Ａ２４５と記録媒体Ｂ２４６と複数の記録媒体が装填可能で、撮影した画像を複数の記録媒体に振り分けて記録可能な（ステップ＃５５、＃６１〜＃６９参照）なデジタルカメラであって、複数の記録媒体の各ファイル管理情報（図８参照）に基づいて複数の画像データの表示順位を決定し（ステップ＃９３参照）、その順位にしたがって画像の再生表示（ステップ＃７５参照）を行うようにしているので、複数の記録媒体を切り換える必要がなく、ユーザにとって使い勝ってのよいデジタルカメラとなっている。
さらに、画像の再生にあたっての表示順位は、撮影時の時刻情報に基づいて決定されていることから、ユーザの記憶に沿って画像が表示され、大変便利である。
【００４７】
さらに、本実施形態では、複数の記録媒体の各ファイル管理情報を読み出し（ステップ＃８９参照）、各ファイル管理情報に基づいて、記録媒体に記録されている画像データの順位付けを行い（ステップ＃９３参照）、手動操作部材が操作されるたびに、順位付けされた画像データを複数の記録媒体のいずれかから順番に読み出し（ステップ＃７３、＃９７、＃９９、＃１０１、＃１０３参照）、この読み出された画像データを液晶モニタ２６に表示するように制御しているので、複数の記録媒体に記録されている画像データを一元的に順位付けされて画像を表示させることができ、ユーザにとって使い勝手のよいデジタルカメラとなっている。
【００４８】
また、本実施形態においては、撮影した画像データを記録する際には、所定条件にしたがって上記複数の記録媒体に振り分けて記録し（ステップ＃６１参照）、複数の記録媒体に記録された画像データを表示する際には、複数の記録媒体から撮影順に読み出して表示する（図８（Ｃ）、および図９参照）ようにしたので、ユーザの記憶に沿って表示されるので、大変分かり易い表示となる。
さらに、複数の記録媒体に記録された画像データを表示する際に、複数の記録媒体の内のどちらか一方を選択するか、両方を選択するか切替できることから（ステップ＃８５、＃８７、＃８９参照）、ユーザの必要に応じて表示でき、大変便利である。
さらに、画像データを表示する際、その画像が記録されている記録媒体を識別する記号、文字を重畳させて表示しているので（図７参照）、いずれの記録媒体に記録されているかを一目で確認でき、使いかってが大変よい。
【００４９】
なお、本実施形態においては、デジタルカメラとして一眼レフタイプに適用した例を説明したが、本発明はデジタル一眼レフカメラに限らず、例えば、コンパクトタイプ等のデジタルカメラにも適用でき、さらには、携帯電話に設けられたデジタルカメラにも適用できることは、勿論である。
【図面の簡単な説明】
【００５０】
【図１】本発明を適用した実施形態におけるデジタル一眼レフカメラの全体構成を示すブロック図である。
【図２】本発明の実施形態におけるデジタル一眼レフカメラを背面から見た外観斜視図である。
【図３】本発明の実施形態における表示と動作モードを示すブロック図である。
【図４】本発明の実施形態における撮像動作を示すフローチャートである。
【図５】本発明の実施形態におけるメモリカードに記録の動作を示すフローチャートである。
【図６】本発明の実施形態における再生動作を示すフローチャートである。
【図７】本発明の実施形態における液晶モニタでの被写体像の表示状態を示す図である。
【図８】本発明の実施形態におけるファイル管理情報を示す図表である。
【図９】本発明の実施形態における記録媒体Ａと記録媒体Ｂに記録された画像データと、ファイル管理情報画像に基づいて再生されるフレームの関係を示す図である。
【符号の説明】
【００５１】
２２  モードダイヤル
２６  液晶モニタ
３０  十字釦
３３  記録媒体Ａ選択釦
３４  記録媒体Ｂ選択釦
４０  記録媒体収納蓋
１００  交換レンズ
１０１  １０２  レンズ
１０３  絞り
２１１  測光センサ
２１３  シャッタ
２２１  ＣＣＤ
２２９  シーケンスコントローラ(ボディＣＰＵ)
２４３  記録媒体制御回路
２４５  記録媒体Ａ
２４６  記録媒体Ｂ
【図１】
2007251591.tif 000003
【図２】
2007251591.tif 000004
【図３】
2007251591.tif 000005
【図４】
2007251591.tif 000006
【図５】
2007251591.tif 000007
【図６】
2007251591.tif 000008
【図７】
2007251591.tif 000009
【図８】
2007251591.tif 000010
【図９】
2007251591.tif 000011